(57)【要約】【課題】本発明はＬＴＥ信号が地上デジタルテレビジョン放送の受信に与える影響を容易に確認することができるレベルチェッカーを提供する。【解決手段】高周波信号を入力する入力端子１０と、入力端子１０に入力される高周波信号に含まれ得るＬＴＥ信号のレベルを測定するＬＴＥ測定部（検波部）１２と、ＬＴＥ信号のレベルに応じた表示を行う表示部１４と、を備えた。【選択図】図１
2014222826.tif 000002
【特許請求の範囲】
【請求項１】
高周波信号を入力する入力端子と、前記入力端子に入力される前記高周波信号に含まれ得るＬＴＥ信号のレベルを測定するＬＴＥ測定部と、前記ＬＴＥ信号のレベルに応じた表示を行う表示部と、を備えたことを特徴とするレベルチェッカー。
【請求項２】
前記高周波信号を増幅して地上デジタルテレビジョン受信機に供給するブースターの飽和を避けるために必要な前記ＬＴＥ信号の減衰量を設定する設定部を備えることを特徴とする請求項１に記載のレベルチェッカー。
【請求項３】
前記設定部は前記ＬＴＥ信号のレベルに応じて前記減衰量が可変するようにして前記減衰量を設定することを特徴とする請求項２に記載のレベルチェッカー。
【請求項４】
前記入力端子に入力される前記高周波信号に含まれ得る地上デジタルテレビジョン放送用の放送信号のレベルを測定する放送信号測定部を備え、前記表示部は前記ＬＴＥ信号のレベルと前記放送信号のレベルとの差を表示することを特徴とする請求項１〜請求項３のいずれかに記載のレベルチェッカー。
【請求項５】
請求項１〜請求項４のレベルチェッカーを用いた地上デジタルテレビジョン放送の受信設定方法であって、前記表示部の表示を確認する第１ステップと、ＬＴＥ信号を減衰するためのフィルタの要否を判断する第２ステップを有し、第２ステップにおいて前記フィルタが必要と判断した場合に前記フィルタを取り付けることを特徴とする地上デジタルテレビジョン放送の受信設定方法。
【発明の詳細な説明】
【技術分野】
【０００１】
本発明は信号レベルを測定するレベルチェッカーに関する。
【背景技術】
【０００２】
現在、地上デジタルテレビジョン放送は１３〜５２チャンネルの周波数（４７０〜７１０ＭＨｚ）を使用している。しかし、地上アナログテレビジョン放送から地上デジタルテレビジョン放送への移行にともなって一定期間、地上アナログテレビジョン放送が継続して行われていた。この間、一部の地上デジタルテレビジョン放送局は一時的に５３〜６２チャンネルの周波数（７１０〜７７０ＭＨｚ）を使用していた。
【０００３】
地上アナログテレビジョン放送の完全終了にともなって、５３〜６２チャンネルの周波数を使用する放送局は１３〜５２チャンネルの周波数に変更された。現在、５３〜６２チャンネルとして使用してきた周波数（７１０〜７７０ＭＨｚ）は携帯電話をはじめとする移動通信システムに用いられるＬＴＥ（Ｌｏｎｇ  Ｔｅｒｍ  Ｅｖｏｌｕｔｉｏｎ）信号等に割り当てられている。なお、ＬＴＥ信号は上りで７１８〜７４８ＭＨｚの周波数が使用され、下りで７７３〜８０３ＭＨｚが使用されている。
【先行技術文献】
【特許文献】
【０００４】
【特許文献１】特開２０１０−２３９５３９号公報
【発明の概要】
【発明が解決しようとする課題】
【０００５】
しかし、ＬＴＥ信号のレベルは地上デジタルテレビジョン放送用の放送信号のレベルと比較して格段に高く、地上デジタルテレビジョン放送の一部のチャンネルと周波数帯域が近い。このため、ＬＴＥ信号が地上デジタルテレビジョン放送の受信に悪影響を与えることが問題になると予想される。また、ＬＴＥ信号を送受信する基地局は今後、順次増設されていく予定であり、この問題は広がっていくと予想される。
【０００６】
特許文献１にはテレビ放送波の信号レベルを測定するレベルチェッカーが記載されている。しかしながら、上記レベルチェッカーでは、使用者は地上デジタルテレビジョンの受信状況が悪い場合、受信アンテナの向きを調整してテレビジョン放送用の放送信号のレベルを測定している。このため、ＬＴＥ信号が地上デジタルテレビジョン放送の受信に与える影響については全く考慮されていない。
【０００７】
そこで、本発明はＬＴＥ信号による地上デジタルテレビジョン放送の受信に与える影響を検討可能なレベルチェッカーを提供することを目的とする。
【課題を解決するための手段】
【０００８】
上記目的を達成するために本発明のレベルチェッカーは、高周波信号を入力する入力端子と、前記入力端子に入力される前記高周波信号に含まれ得るＬＴＥ信号のレベルを測定するＬＴＥ測定部と、前記ＬＴＥ信号のレベルに応じた表示を行う表示部と、を備えたことを特徴としている。
【０００９】
また、本発明のレベルチェッカーは、上記構成において、前記高周波信号を増幅して地上デジタルテレビジョン受信機に供給するブースターの飽和を避けるために必要な前記ＬＴＥ信号の減衰量を設定する設定部を備えることを特徴としている。
【００１０】
また、本発明のレベルチェッカーは、上記構成において、前記設定部は前記ＬＴＥ信号のレベルに応じて前記減衰量が可変するようにして前記減衰量を設定することを特徴としている。
【００１１】
また、本発明のレベルチェッカーは、上記構成において、前記入力端子に入力される前記高周波信号に含まれ得る地上デジタルテレビジョン放送用の放送信号のレベルを測定する放送信号測定部を備え、前記表示部は前記ＬＴＥ信号のレベルと前記放送信号のレベルとの差を表示することを特徴としている。
【００１２】
また、本発明の受信設定方法は上記レベルチェッカーを用いた地上デジタルテレビジョン放送の受信設定方法であって、前記表示部の表示を確認する第１ステップと、ＬＴＥ信号を減衰するためのフィルタの要否を判断する第２ステップを有し、第２ステップにおいて前記フィルタが必要と判断した場合に前記フィルタを取り付けることを特徴としている。
【発明の効果】
【００１３】
本発明によると、使用者は表示部に表示された高周波信号に含まれるＬＴＥ信号のレベルに応じた表示を見ることにより、ＬＴＥ信号が地上デジタルテレビジョン放送の受信に与える影響を容易に確認することができる。
【図面の簡単な説明】
【００１４】
【図１】本発明の第１実施形態に係るレベルチェッカーの構成を示すブロック図
【図２】本発明の第１実施形態に係るレベルチェッカーの表示画面を示す正面図
【図３】本発明の第２実施形態に係るレベルチェッカーの構成を示すブロック図
【図４】本発明の第２実施形態に係るレベルチェッカーの表示画面を示す正面図
【発明を実施するための形態】
【００１５】
＜第１実施形態＞
以下、本発明をその実施の形態を示す図面に基づいて詳述する。図１は第１実施形態に係るレベルチェッカー１の構成を示すブロック図であり、図２は第１実施形態に係るレベルチェッカー１の表示画面を示す正面図である。
【００１６】
〈レベルチェッカーの構成〉
レベルチェッカー１は地上デジタルテレビジョン用アンテナ（不図示）が受信した高周波信号に含まれるＬＴＥ信号のレベルを測定してＬＴＥ信号のレベルに応じた表示を行う装置である。レベルチェッカー１は入力端子１０と、第１減衰部１１と、検波部１２と、ＣＰＵ１３と、表示部１４とを含む。また、レベルチェッカー１は電源スイッチ１７でＯＮ又はＯＦＦに切り替えられる（図２参照）。
【００１７】
入力端子１０は地上デジタルテレビジョン用アンテナ（不図示）に接続され、アンテナが受信した高周波信号が入力される。
【００１８】
第１減衰部１１は入力端子１０に入力された高周波信号に含まれるＬＴＥ信号以外の帯域にある高周波信号を減衰する。これにより、入力端子１０に入力された高周波信号からＬＴＥ信号（７１８〜７４８ＭＨｚ、７７３〜８０３ＭＨｚ）が抽出される。
【００１９】
検波部１２は第１減衰部１１から入力されたＬＴＥ信号のレベルを測定するＬＴＥ測定部であり、測定されたＬＴＥ信号のレベルをＣＰＵ１３に出力する。なお、ＬＴＥ信号のレベルは積分検波又はピーク検波により測定することができる。積分検波は測定されたＬＴＥ信号の波形を積分して算出する。ピーク検波は測定されたＬＴＥ信号の波形の中から最も高いピークを抜き出して算出する。いずれの方法においても算出されるＬＴＥ信号のレベルに大差はない。
【００２０】
ＣＰＵ１３は設定部１３ａを有し、入力されたＬＴＥ信号のレベルから地上デジタルテレビジョン放送の受信に与える影響を判定する。具体的には、設定部１３ａが地上デジタルテレビジョン用アンテナとテレビ受像機（不図示）との間に設けられたブースター（不図示）の飽和を避けるために必要なＬＴＥ信号の減衰量を設定する。
【００２１】
なお、設定部１３ａはＬＴＥ信号のレベルに応じて減衰量を可変することができる。即ち、設定部１３ａはＬＴＥ信号をゼロにする減衰量ではなく、ブースターが飽和しない程度に必要な減衰量を設定する。また、ＣＰＵ１３に入力されたＬＴＥ信号のレベル及び設定部１３ａで設定された減衰量は表示部１４に表示される。
【００２２】
表示部１４は第１表示部１４ａと第２表示部１４ｂを備える（図２参照）。第１表示部１４ａは測定したＬＴＥ信号のレベルを数値（単位：ｄＢ）で表示する。第２表示部１４ｂは設定部１３ａが設定した減衰量を表示する。具体的には、第２表示部１４ｂは３つのパイロットランプ１５ａ〜１５ｃが並設されており、各パイロットランプ１５ａ〜１５ｃには予め減衰量（例えば、０、-３０ｄＢ、-５０ｄＢ）が設定されている。これにより、例えば、設定部１３ａが必要な減衰量を-３０ｄＢと設定した場合、パイロットランプ１５ｂが点灯する。なお、第２表示部１４ｂはパイロットランプ１５ａ〜１５ｃで減衰量を表示する場合に限定されず、数値で表示してもよい。
【００２３】
〈受信設定方法〉
次に、本発明の一実施形態におけるレベルチェッカー１を用いた地上デジタルテレビジョン放送の受信設定方法について説明する。使用者が入力端子１０を地上デジタルテレビジョン用のアンテナ（不図示）に接続した状態においてレベルチェッカー１の電源スイッチ１７をＯＮにすると、レベルチェッカー１はＬＴＥ信号の測定を開始して第１表示部１４ａに測定したＬＴＥ信号のレベルを数値表示する。また、第２表示部１４ｂのパイロットランプ１５ａ〜１５ｃのいずれかが点灯する。
【００２４】
使用者は点灯するパイロットランプ１５ａ〜１５ｃを確認して（第１ステップ）、ＬＴＥ信号を減衰する為のフィルタの要否を判断する（第２ステップ）。第２ステップにおいてフィルタが必要と判断した場合、地上デジタルテレビジョン用のアンテナ（不図示）とブースター（不図示）との間にフィルタを取り付ける。例えば、必要な減衰量が-３０ｄＢであることを知らせるパイロットランプ１５ｂが点灯した場合、ＬＴＥ信号を-３０ｄＢ減衰するフィルタを取り付ける。また、必要な減衰量が０ｄＢであることを知らせるパイロットランプ１５ａが点灯した場合、フィルタを取り付けない。
【００２５】
これにより、使用者は地上デジタルテレビジョンの受信状況が悪い場合、ＬＴＥ信号が地上デジタルテレビジョン放送の受信に与える影響を考慮しながら受信設定を行うことができる。また、フィルタは減衰量が大きいほど高価になるが、設定部１３ａはＬＴＥ信号のレベルに応じて減衰量を可変して設定するため、必要最低限の減衰量を有するフィルタを使用することができる。これにより、コストを削減することができる。
【００２６】
本実施形態によれば、高周波信号を入力する入力端子１０と、入力端子１０に入力される高周波信号に含まれ得るＬＴＥ信号のレベルを測定するＬＴＥ測定部（検波部）１２と、ＬＴＥ信号のレベルに応じた表示を行う表示部１４と、を備えたことにより、使用者は表示部１４を見ることにより、ＬＴＥ信号が地上デジタルテレビジョン放送の受信に与える影響を容易に確認することができる。
【００２７】
また、高周波信号を増幅して地上デジタルテレビジョン受信機に供給するブースターの飽和を避けるために必要なＬＴＥ信号の減衰量を設定する設定部１３ａを備えることにより、使用者はブースターの飽和を防ぐのに必要なＬＴＥ信号を減衰するフィルタを選択することができる。
【００２８】
また、設定部１３ａはＬＴＥ信号のレベルに応じて減衰量が可変するようにして減衰量を設定することにより、地上デジタルテレビジョン放送の受信に影響を与える最小限度のＬＴＥ信号を減衰することができる。
【００２９】
また、レベルチェッカー１を用いた地上デジタルテレビジョン放送の受信設定方法であって、表示部１４の表示を確認する第１ステップと、ＬＴＥ信号を減衰するためのフィルタの要否を判断する第２ステップを有し、第２ステップにおいてフィルタが必要と判断した場合にフィルタを取り付けることにより、使用者は地上デジタルテレビジョンの受信状況が悪い場合、ＬＴＥ信号が地上デジタルテレビジョン放送の受信に与える影響を考慮しながら受信設定を行うことができる。
【００３０】
なお、本実施形態では表示部１４を第１表示部１４ａ及び第２表示部１４ｂで構成したが、表示部１４を第１表示部１４ａのみで構成してもよい。このとき、使用者は第１表示部１４ａに表示されたＬＴＥ信号の数値表示を確認してフィルタの要否を判断する。
【００３１】
＜第２実施形態＞
図３は第２実施形態に係るレベルチェッカー１の構成を示すブロック図であり、図４は第２実施形態に係るレベルチェッカー１の表示画面を示す正面図である。なお、第１実施形態と同一部分は同一符号を付して説明を省略する。
【００３２】
図３に示すように、第２実施形態に係るレベルチェッカー１は入力端子１０、分波部１９、第２減衰部２１、復調部２２、第１減衰部１１、検波部１２、入力部１８、ＣＰＵ１３、表示部１４を有する。
【００３３】
分波部１９は入力端子１０に入力された高周波信号を分波して第１減衰部１１と第２減衰部２１へ入力する。
【００３４】
第２減衰部２１へ入力した高周波信号は地上デジタルビジョン放送用の放送信号以外の帯域にある高周波信号を減衰する。これにより、入力端子１０に入力された高周波信号から地上デジタルビジョン放送用の放送信号（４７０〜７１０ＭＨｚ）が抽出される。
【００３５】
復調部２２は第２減衰部２１から入力された地上デジタルテレビジョン放送用の放送信号のレベルを測定する放送信号測定部を有する。また、復調部２２に入力された放送信号はＭＥＲ（Ｍｏｄｕｌａｔｉｏｎ  Ｅｒｒｏｒ  Ｒａｔｉｏ）も測定される。測定された放送信号のレベル及びＭＥＲはＣＰＵ１３に出力される。
【００３６】
第１減衰部１１に入力した高周波信号は第１実施形態と同様にＬＴＥ信号以外の帯域にある高周波信号を減衰して高周波信号からＬＴＥ信号（７１８〜７４８ＭＨｚ、７７３〜８０３ＭＨｚ）が抽出される。抽出されたＬＴＥ信号は検波部１２に入力されＬＴＥ信号のレベルが測定され、ＣＰＵ１３に出力される。
【００３７】
ＣＰＵ１３は入力されたＬＴＥ信号のレベルと放送信号のレベルとの差（以下、Ｄ／Ｕ表示という）を算出して表示部１４に表示する。また、ＣＰＵ１３は復調部２２で測定されたＭＥＲ及び地上デジタルビジョン放送用の放送信号のレベルを表示部１４に表示する。具体的には、レベルチェッカー１に設けられた表示部１４の下方に複数のボタン状の入力部１８が設けられ、入力部１８を押して表示部１４に表示される表示モードを変更することができる。例えば、入力部１８を１回押すことによりＤ／Ｕ表示からＭＥＲの表示モードに切り替わる。更に入力部１８を押すことにより、ＭＥＲから放送信号のレベルに表示モードが切り替わる。なお、表示部１４の表示方法は上記方法に限定されず、例えば、１画面にＤ／Ｕ表示、ＭＥＲ、放送信号のレベルをすべて表示してもよい。また、表示部１４に放送信号のＣ／Ｎ表示、ＬＴＥ信号のレベル、を表示してもよい。また、表示部１４にＬＴＥ信号のレベルとＤ／Ｕ表示を同時に表示したり、ＬＴＥ信号のレベルとＤ／Ｕ表示と放送信号のレベルとを同時に表示してもよい。
【００３８】
なお、Ｄ／Ｕ表示、ＭＥＲ、放送信号のレベルの測定は１３〜５２の各チャンネルごとにスウィープしながら順に行われる。また、ＬＴＥ信号の周波数の帯域に近いチャンネルのみを測定してもよい。
【００３９】
第２実施形態に係るレベルチェッカー１を用いた地上デジタルテレビジョン放送の受信設定方法では、使用者は表示部１４に表示されたＤ／Ｕ表示、ＭＥＲ、放送信号のレベルを確認して（第１ステップ）、ＬＴＥ信号を減衰する為のフィルタの要否を判断する（第２ステップ）。このとき、使用者はＤ／Ｕ表示を確認することにより、ＬＴＥ信号により発生するイメージ妨害を防止するために必要なＬＴＥ信号の減衰量を精度よく判定することができる。なお、使用者はＤ／Ｕ表示に加えて表示部１４に表示されるＣ／Ｎ表示、ＬＴＥ信号のレベルを確認してＬＴＥ信号を減衰する為のフィルタの要否を判断してもよい。
【００４０】
また、第２ステップにおいてフィルタが必要と判断した場合、ＬＴＥ信号によるイメージ妨害を防止するために地上デジタルテレビジョン用アンテナ（不図示）とブースター（不図示）との間又はブースターとテレビ受像機（不図示）との間にＬＴＥ信号を減衰するフィルタを取り付ける。なお、フィルタを地上デジタルテレビジョン用アンテナとブースターとの間に取り付けた場合、放送信号も減衰されて受信レベルが低下する虞がある。このため、放送信号の受信レベルが低い場合、ブースターとテレビ受像機との間にフィルタを取り付けるのが好ましい。
【符号の説明】
【００４１】
１              レベルチェッカー
１０            入力端子
１１            第１減衰部
１２            検波部
１３            ＣＰＵ
１３ａ          設定部
１４            表示部
１４ａ          第１表示部
１４ｂ          第２表示部
１５ａ〜１５ｃ  パイロットランプ
１７            電源スイッチ
１８            入力部
１９            分波部
２１            第２減衰部
２２            復調部
【図１】
2014222826.tif 000003
【図２】
2014222826.tif 000004
【図３】
2014222826.tif 000005
【図４】
2014222826.tif 000006